(57)【特許請求の範囲】
【請求項１】
胴部（１）の両側壁部分（２）のそれぞれに、指当て用の凹部（３）を対向させて形成し、該両凹部（３）と、該両凹部（３）の間の背壁部分（１０）とでグリップ部（１２）を形成する、合成樹脂製ブロー成形品であるピンチグリップ式ボトル型容器において、
前記凹部（３）の凹部底面（５）から立ち上げ形成されて、前記凹部（３）を補強すると共に、指先によるグリップをし易くする複数の補強リブ（８）を凹部（３）内に横断状にそれぞれ設け、
前記凹部（３）の中央部付近に位置する補強リブ（８）を、前記凹部（３）の凹部底面（５）からだけではなく、前記凹部（３）の両凹部側面（４）からも立ち上げると共に、前記凹部（３）を横断する堰状物の堰頂中央部に、湾曲した陥没凹部を備えた中央補強リブ（８ａ）を形成し、該中央補強リブ（８ａ）の前記凹部側面（４）及び前記凹部底面（５）からの立ち上げ高さを略等しい値に形成したことを特徴とするピンチグリップ式ボトル型容器。
【請求項２】
凹部（３）の凹部上下端面（６）を、凹部底面（５）に対して、直角に近い急角度で立ち上げた請求項１記載のピンチグリップ式ボトル型容器。
【請求項３】
補強リブ（８）を三つ設けて、凹部（３）内を上下に四つに略等分に区分けし、上から二番目の前記補強リブ（８）を中央補強リブ（８ａ）とした請求項１または２記載のピンチグリップ式ボトル型容器。
【発明の詳細な説明】
【技術分野】
【０００１】
本発明は、グリップ（把手）機能部付き大型合成樹脂製ボトル型容器の内、胴部の両側壁部分に凹部を対向形成することにより、グリップ機能部を一体形成したピンチグリップ式ボトル型容器に関するものである。
【背景技術】
【０００２】
グリップ機能部付き大型合成樹脂製ボトル型容器の従来技術として、予め別途に成形した把手体を容器本体に取付ける構成のボトル型容器とは別に、胴部の両側壁部分に、縦長の凹部を対向形成し、この両凹部と、両凹部の間に位置する背壁部分とで構成されたグリップ機能部を一体に形成したピンチグリップ式ボトル型容器がある。
【０００３】
この上記したピンチグリップ式ボトル型容器の従来技術は、両凹部を、指先が略第一関節まで侵入できる程度の大きさに形成し、この両凹部の凹部底面に、凹部を横断する形態で、凹部を補強すると共に、指先によるグリップをし易くする補強リブを設けて構成されている。
【特許文献１】特開２００３−１６５５１８号公報
【０００４】
この上記したピンチグリップ式ボトル型容器の従来技術は、別途に成形した把手体を容器本体に取付ける構成のボトル型容器に比べて、製造コストの低減化、製造工程の簡素化、さらには消費樹脂材料の省資源化の点から、多くの利点があるばかりでなく、２．７リットルを越える大きさのボトル型容器であっても、グリップ性が安定して発揮される、と云う利点がある。
【発明の開示】
【発明が解決しようとする課題】
【０００５】
しかしながら、上記したピンチグリップ式ボトル型容器の従来技術にあっては、グリップ機能部の主要構成部分である凹部が比較的大きいので、内容物を密閉収納した状態で容器が落下すると、落下の衝撃により、凹部の中央部付近がバックリングする場合がある、と云う問題があった。
【０００６】
また、上記した凹部におけるバックリングの発生を阻止すべく、補強リブの立ち上がり高さを充分に大きくする手段が考えられるが、補強リブの立ち上がり高さを大きくしただけでは、ブロー成形品であるボトル型容器のグリップ機能部の、必要とする賦形性を確保することができず、成形不良が発生し易くなる、と云う問題があった。
【０００７】
そこで、本発明は、上記した従来技術における問題点を解消すべく創案されたもので、合成樹脂製ブロー成形品であるピンチグリップ式ボトル型容器のグリップ機能部を構成する凹部の、耐内圧強度を高めることを技術的課題とし、もってピンチグリップ式ボトル型容器のグリップ機能部を、バックリングし難いものとすることを目的とする。
【課題を解決するための手段】
【０００８】
上記技術的課題を解決する本発明の内、請求項１記載の発明の手段は、
胴部の両側壁部分のそれぞれに、指当て用の凹部を対向させて形成し、この両凹部と、両凹部の間の背壁部分とでグリップ部を形成する、合成樹脂製ブロー成形品であるピンチグリップ式ボトル型容器に関するものであること、
凹部の凹部底面から立ち上げ形成されて、凹部を補強すると共に、指先によるグリップをし易くする複数の補強リブを、凹部内に横断状にそれぞれ設けること、
凹部の中央部付近に位置する補強リブを、凹部の凹部底面からだけではなく、凹部の両凹部側面からも立ち上げること、
凹部を横断する堰状物の堰頂中央部に、湾曲した陥没凹部を備えた中央補強リブを形成し、中央補強リブの凹部側面及び凹部底面からの立ち上げ高さを略等しい値に形成したこと、
にある。
【０００９】
この請求項１記載の発明においては、胴部の両側壁部分のそれぞれに、凹部を対向形成してグリップ部を形成しているので、このグリップ部を把持する手は、一方の凹部内に親指の指先を、また他方の凹部内に、親指以外の指の指先を侵入させる。
【００１０】
このグリップ部の把持状態において、凹部内に侵入した親指および、親指以外の指の指先は、その横側を、凹部上端面もしくは、凹部内を上下に区分けする補強リブに当接させることにより、凹部内において、上下にほぼ不動に安定した状態となり、これにより手によるグリップ部の把持が行い易いものとなる。
【００１１】
また、凹部底面だけから立ち上げられた補強リブが、凹部底壁部分を主として補強するのに対し、凹部の中央部付近に位置する中央補強リブは、凹部の凹部底面からだけではなく、凹部の両凹部側面からも立ち上がって構成されたものであるので、凹部の中央部付近全体を、充分に補強することになる。
さらに局部延伸成形により成形される部分である中央補強リブを、その立ち上がり高さが過剰に大きくなることなく、凹部底面および凹部側面から、適正な立ち上がり高さで形成することができる。
【００１２】
請求項２記載の発明は、請求項１記載の発明の構成に、凹部の凹部上下端面を、凹部底面に対して、直角に近い急角度で立ち上げた、ことを加えたものである。
【００１３】
この請求項２記載の発明にあっては、凹部上下端面を形成する凹部の上下端壁が、凹部に作用する内圧に対して、補強リブ片としてきわめて効果的に作用し、また凹部上端面は、グリップ部を把持した状態で押付けられてくる、親指および人差し指の指先を、安定して支持することになる。
【００１６】
請求項３記載の発明は、請求項１または２記載の発明の構成に、補強リブを三つ設けて、凹部内を上下に四つに略等分に区分けし、上から二番目の補強リブを中央補強リブとした、ことを加えたものである。
【００１７】
この請求項３記載の発明にあっては、グリップ部を把持した手の各指の指先が、凹部内のいずれかの区分け部分内に必ず位置するので、各指の凹部内における位置が一定して安定することになり、また上から二番目の補強リブは、凹部の中央部付近に位置することになるので、この二番目の補強リブを中央補強リブとすることにより、凹部の中央部におけるバックリングに対する補強を有効に果たすことになる。
【発明の効果】
【００１８】
本発明は、上記した構成となっているので、以下に示す効果を奏する。
請求項１記載の発明にあっては、グリップ部の把持状態において、凹部内に侵入した親指および、親指以外の指の指先は、凹部内において、上下にほぼ不動に安定した状態となり、これにより手によるグリップ部の把持が行い易くなって、安定した把持動作を得ることができる。
【００１９】
また、凹部の中央部付近に位置する中央補強リブは、凹部の中央部付近全体を、充分に補強するので、凹部をバックリングし難いものとすることができ、これにより適正な把持機能を安定的に維持することができる。
さらに局部延伸成形により成形される部分である中央補強リブを、その立ち上がり高さが過剰に大きくなることなく、凹部底面および凹部側面から、適正な立ち上がり高さで形成することができるので、成形不良を発生することなく、中央補強リブを安全に成形することができる。
【００２０】
請求項２記載の発明にあっては、凹部上下端面を形成する凹部の上下端壁が、補強リブ片としてきわめて効果的に作用するので、凹部の上下端部をバックリングし難いものとすることができ、また凹部上端面は、押付けられてくる親指および人差し指の指先を、安定して支持するので、グリップ部の安定した把持状態を維持することができる。
【００２２】
請求項３記載の発明にあっては、グリップ部を把持した手の各指の指先が、凹部内において安定して位置するので、グリップ部を充分に安定した状態で把持することができ、また中央補強リブを凹部の中央部に確実に位置させることができるので、凹部の中央部に対するバックリングの発生の防止効果を、確実に得ることができる。
【発明を実施するための最良の形態】
【００２３】
以下、本発明の一実施形態を、図面を参照しながら説明する。
【００２４】
本発明による大型合成樹脂製２軸延伸ブロー成形品であるピンチグリップ式ボトル型容器は、下端に座機能を発揮する底部１４を連設した、有底筒状の胴部１の上端に、上方に縮径したテーパ−筒状の肩部１５を介して、外周面に螺条を刻設した円筒状の口筒部１７を連設した構造となっている。
【００２５】
底部１４および肩部１５との境界部分である上下両端部に補強周リブ１３を周設した胴部１は、その両側壁部分２のやや上側および後側箇所に、側方から対向した姿勢で縦長の一対の凹部３を陥没形成し、この両凹部３と、両凹部３の間に位置する背壁部分１０とにより、凹部３を指当て凹部としたグリップ部１２を形成している。
【００２６】
このグリップ部１２の周方向に沿った表面長さは、一方の凹部３に親指を位置させ、他方の凹部３に他の指を位置させての把持を可能とする必要があることから、手のひらの寸法に合わせて略一定した値に設定されることになる。
【００２７】
また、グリップ部１２は、このグリップ部１２を把持してのボトル型容器の取扱いが良好なものとなるように、なるべく胴部１の中央側に位置するのが有利となる。
【００２８】
このグリップ部１２における条件および要望を満たすべく、大型ボトル容器を示す図示実施形態例にあっては、胴部１の背壁部分１０を陥没させた状態で位置させており、この背壁部分１０の陥没程度は、胴部１の径寸法に従って設定される。
【００２９】
なお、グリップ部１２を、なるべく胴部１の中央側に位置させるのは、ボトル型容器の取扱いを良好にするためだけではなく、図４から明らかなように、後側の凹部側面４が、プリフォームPの径方向の延伸方向に略沿った姿勢となっているため、グリップ部１２を胴部１の中央部から離すに従って、凹部側面４の賦形性が低下するので、これを避けるためである。
【００３０】
グリップ部１２を構成する各凹部３は、その凹部上下端面６を、凹部底面５に対して、直角に近い急角度で立ち上げて（図３参照）構成されており、この凹部３には、三つの補強リブ８（図２参照）が、アーチ状に横断して設けられており、この三つの補強リブ８により、凹部３内を上下に四つの区分に、略等分に区画し、この区画により、凹部３内の各区分のいずれかに、一本の指の指先を安定して位置させると共に、凹部３の機械的強度を高めている。
【００３１】
三つの補強リブ８の内、上から一番目および三番目の補強リブ８は、その全体を凹部底面５に近接させた範囲に位置させた構造となっているのに対し、上から二番目の補強リブ８は、凹部３を横断する堰状物の堰頂中央部に、湾曲した陥没凹部を形成した構造の中央補強リブ８ａ（図６参照）となっている。
【００３２】
この中央補強リブ８ａは、その堰頂中央部に陥没凹部を形成しているので、凹部側面４および凹部底面５からの立ち上がり高さが、それぞれ略等しい値となって、極端に大きくなることがなく、これにより局部延伸成形に伴う賦形性の低下程度を充分に小さく抑えた状態で、中央補強リブ８ａを成形することを可能としている。
【００３３】
また、凹部３の凹部上下端面６は、凹部底面５に対して、直角に近い急角度で立ち上がっているので、グリップ部１２を把持した手の親指および人差し指が下方から押付けられても、これを安定して支持し、手によるグリップ部１２の把持動作を、安定して維持できるようにしている。
【００３４】
グリップ部１２を把持した手の指先の腹が押付けられる、凹部３の後側の凹部側面４には、突出高さの低い縦突条状となった滑り止め突片７（図２、図４参照）が、二本平行に設けられている。
【００３５】
この滑り止め突片７は、各補強リブ８で分断された状態となっていて、補強リブ８で区画された凹部３の各区分毎に設けられた構成となっている。
【００３６】
さらに、補強リブ８で区画された凹部３の各区分の凹部底面５には、ブロー成形されたボトル容器のブロー金型からの離型性を高めるための小突部９が形成されているが、この小突部９は、離型性を高めるためだけではなく、凹部３の底部を補強している。
【００３７】
背壁部分１０の内、グリップ部１２を構成する凹部３に対応する部分には、横リブ１１が設けられている。
【００３８】
また、この背壁部分１０（図３、図４、図７参照）は、その全体が平板状のまま、胴部１の略全高さ範囲に亘って陥没位置した構成となっていることにより、ボトル容器内に発生した減圧を、その湾曲陥没変形により吸収することができるようにしている。
【００３９】
なお、肩部１５に形成された正多角筒状のパネル壁部１６は、各平板壁部分が、湾曲陥没変形して、平板状の背壁部分１０と同様に、減圧吸収動作を行う。
【図面の簡単な説明】
【００４０】
【図１】本発明の一実施形態例を示す、全体正面図である。
【図２】図１に示した実施形態例の、全体側面図である。
【図３】図１に示した実施形態例の、一部不規則破断した全体背面面図である。
【図４】図２中、Ａ−Ａ線に沿って切断矢視した、全体平断面図である。
【図５】図２中、Ｂ−Ｂ線に沿って切断矢視した、全体平断面図である。
【図６】図２中、Ｃ−Ｃ線に沿って切断矢視した、全体平断面図である。
【図７】図２中、Ｄ−Ｄ線に沿って切断矢視した、全体平断面図である。
【符号の説明】
【００４１】
１  ；  胴部
２  ；  側壁部分
３  ；  凹部
４  ；  凹部側面
５  ；  凹部底面
６  ；  凹部上端面
７  ；  滑り止め突片
８  ；  補強リブ
８ａ；  中央補強リブ
９  ；  小突部
１０；  背壁部分
１１；  横リブ
１２；  グリップ部
１３；  補強周リブ
１４；  底部
１５；  肩部
１６；  パネル壁部
１７；  口筒部
Ｐ  ；  プリフォーム
【図１】
0004692749.tif 000002
【図２】
0004692749.tif 000003
【図３】
0004692749.tif 000004
【図４】
0004692749.tif 000005
【図５】
0004692749.tif 000006
【図６】
0004692749.tif 000007
【図７】
0004692749.tif 000008